(57)【特許請求の範囲】
【請求項１】
配線基板にはんだ付けにより種々の部品を実装してなるプリント板のリサイクル方法であって、予め、プリント板から部品を分離するのに必要な情報を格納している情報格納体を配線基板に取付けておき、部品の分離時、部品をプリント板から分離するのに必要な情報であるはんだの融点情報，配線基板上の各部品の座標位置情報を含む情報を、前記情報格納体から取り込むと共に、該取り込んだ情報に基づきはんだ溶融部を有する移動可能な分解機構の位置決め制御及びはんだ溶融部の温度制御を行い、部品除去部により種々の部品をプリント板から取り外すことを特徴とするプリント板のリサイクル方法。
【請求項２】
リード端子が配線基板を挿入してはんだ付けされる挿入実装部品と、リード端子が配線基板の表面上にはんだ付けされる表面実装部品とを有するプリント板のリサイクル方法であって、部品の分離に際し、予め配線基板に取付けられている情報格納体より、プリント板から部品を分離するのに必要な情報を取り込む情報取り込み工程と、取り込んだ前記情報に基づき、挿入実装部品のリード端子とはんだとの接続部分をドリル加工により除去し、挿入実装部品をプリント板から取り外す挿入実装部品分離工程と、取り込んだ前記情報に基づき、表面実装部品のリード端子を固着しているはんだ部分を溶融させると共に、該溶融状態にあるとき表面実装部品をプリント板上でずらして取り外す表面実装部品分離工程とを有することを特徴とする配線基板のリサイクル方法。
【請求項３】
前記プリント板から部品を分離するのに必要な情報は、配線基板に部品を固着しているはんだの融点と、配線基板の外形寸法および板厚寸法並びに重量と、配線基板上における種々の部品の座標位置と、部品の種別との何れかを用いることを特徴とする請求項１または２記載のプリント板のリサイクル方法。
【請求項４】
配線基板にはんだ付けにより種々の部品を実装してなるプリント板から、種々の部品を取り外してなるプリント板のリサイクル装置であって、配線基板に予め取付けられてあってプリント板から種々の部品を分離するのに必要な情報であるはんだの融点情報，配線基板上の各部品の座標位置情報を格納している情報格納体と、部品の分離時、情報格納体から前記情報を取り込む情報取り込み機構と、該情報取り込み機構によって取り込んだ前記情報に基づき、はんだ溶融部を有する移動可能な分解機構の位置決め制御及びはんだ溶融部の温度制御を行い、種々の部品をプリント板から取り外す手段とを有することを特徴とするプリント板のリサイクル装置。
【請求項５】
配線基板にリード端子がプリント板を挿入してはんだ付けされる挿入実装部品と、配線基板にリード端子がプリント板にはんだ付けされる表面実装部品とを有するプリント板のリサイクル装置であって、配線基板に予め取付けられてあってプリント板から種々の部品を分離するのに必要な情報であるはんだの融点情報，配線基板上の各部品の座標位置情報，リード端子の座標位置情報を含む情報を格納している情報格納体と、部品の分離時、情報格納体から前記情報を取り込む情報取り込み機構と、該情報取り込み機構によって取り込んだ前記情報に基づき、ドリル加工によりプリント板から挿入実装部品の取り外しと分解機構の位置決め制御及びはんだ溶融部の温度制御を行い表面実装部品の取り外しとを行う部品取り外し手段とを有することを特徴とするプリント板のリサイクル装置。
【請求項６】
リード端子がプリント板を挿入してはんだ付けされる挿入実装部品と、リード端子がプリント板の表面にはんだ付けされる表面実装部品とを有するプリント板において、配線基板に予め取付けられてあってプリント板から種々の部品を分離するのに必要な情報であるはんだの融点情報，配線基板上の各部品の座標位置情報，リード端子の座標位置情報を含む情報を格納している情報格納体と、部品の分離に際し、情報格納体から前記情報を取り込む情報取り込み機構と、該情報取り込み機構によって取り込んだ前記リード端子の座標位置情報に基づき、挿入実装部品のリード端子とはんだとの接合部分を除去し、挿入実装部品をプリント板から取り外す第１の分離機構と、該情報取り込み機構によって取り込んだ前記はんだの融点情報，配線基板上の各部品の座標位置情報に基づき、表面実装部品のリード端子を固着しているはんだを溶融し、該溶融状態のときに表面実装部品をプリント板上からずらして取り外す第２の分離機構とを有することを特徴とするプリント板のリサイクル装置。
【請求項７】
前記第２の分離機構は、表面実装部品をプリント板上に実装している表面実装部品のリード端子のはんだ接合部分を加熱し、はんだを溶融させるはんだ溶融部と、はんだ溶融状態にあるとき、表面実装部品をプリント板上からずらす部品除去部とを有することを特徴とする請求項６に記載のプリント板のリサイクル装置。
【発明の詳細な説明】
【０００１】
【発明の属する技術分野】
本発明は、配線基板に部品を実装してなるプリント板のリサイクル方法とそれを実現するためのリサイクル装置とに係り、特にプリント板からこれにはんだ付けによって実装されている全ての部品を取り外すのに好適なものに関する。
【０００２】
【従来の技術】
部品を実装したプリント板のリサイクル方法の第１の従来技術としては、特開平７−１００４３６号公報に示されるように、プリント板に実装されている部品をシャー等で剪断破壊した後、そのプリント板をハンマーミル等で粉砕して金属粒子と非金属粒子とからなる混合粉末とし、これを進行方向に対して直角方向に傾斜したベルトコンベアに連続的に供給することにより、混合粉末から金属粒子と非金属粒子とに分離するものがある。
【０００３】
また、第２の従来技術として、特開平７−１６２１０６号公報に示されるように、配線基板に発熱体とこの発熱体への給電点を設け、発熱体を配線基板から分離するとき、給電点から発熱体に給電することによってはんだ接続点を局所的に加熱し、はんだを溶融させることにより、配線基板から部品を取り外すようにしたものがある。
【０００４】
さらに第３の従来技術として、作業者がコテやニッパー等の工具を用い、配線基板から部品を取り外すこともある。
【０００５】
【発明が解決しようとする課題】
ところで、上記に示す従来技術は以下の点について配慮されていない。即ち、第１の従来技術は、部品を剪断破壊するので、プリント基板から部品を破壊することなく分離することについて考慮していない問題がある。特に、近年では資源の節減ということから種々の分野においてのリサイクル化が叫ばれており、プリント板の処理分野でも同様のことが要請されている。
【０００６】
また第２の従来技術は、発熱体の給電点を設けているので、発熱体の実装点数が多い場合、給電点もそれだけ多くなってしまうばかりでなく、それを形成するのに手間がかかり、プリント基板全体の製作に多大の工数を要する問題がある。特に、プリント板を処理しようとするとき、プリント板の製造元と処理すべきところとは違う場合があり、違う場合、これに搭載される部品がどのようなものか外見から判断可能なものが存在する場合問題がないものの、判断し難いものもある。従って、そのような場合には、部品を固着しているはんだの種類などが全く不明であり、どの程度の温度にすればよいのか、プリント板の製造元以外は不明である故、処理に手間どってしまうものである。
【０００７】
第３の従来技術は、作業者が部品の交換を目的しているため、実装されている全ての部品を取り外すのに手間がかかる問題がある。
【０００８】
本発明の目的は、実装されている部品を、破壊することなく簡単かつ確実にプリント板から分離することができ、しかもプリント板のサイズやはんだの種類に拘わることなくプリント板のリサイクル方法を提供することにあり、他の目的は、上記方法を的確に実施し、自動化を図り得るプリント板のリサイクル装置を提供することにある。
さらに他の目的は、プリント板のサイズやはんだの種類に加え、プリント板に搭載されている部品の種類に拘わることなく部品を簡単かつ確実にプリント板から分離することができるプリント板のリサイクル方法を提供することにあり、他の目的は、上記方法を的確に実施し得るプリント板のリサイクル装置を提供することにある。
【０００９】
【課題を解決するための手段】
本発明方法では、はんだ付けにより種々の部品を実装してなるプリント板のリサイクル方法において、予め、プリント板から部品を分離するのに必要な情報を格納している情報格納体をプリント板に実装しておき、部品の分離時、部品をプリント板から分離するのに必要な情報を、前記情報格納体から取り込むと共に、該取り込んだ情報に基づきプリント板上に実装されている種々の部品を、プリント板から取り外すことを特徴とするものである。
【００１０】
本発明装置では、配線基板にはんだ付けにより種々の部品を実装してなるプリント板から、種々の部品を取り外してなるプリント板のリサイクル装置であって、配線基板に予め取付けられてあってプリント板から種々の部品を分離するのに必要な情報を格納している情報格納体と、部品の分離時、情報格納体から前記情報を取り込む情報取り込み機構と、該情報取り込み機構によって取り込んだ前記情報に基づき、種々の部品をプリント板から取り外す手段とを有することを特徴とするものである。
【００１１】
【発明の実施の形態】
以下、本発明の一実施例を図１〜図９により説明する。図１乃至図９は本発明方法を実施するためのプリント板リサイクル装置の一実施例を示している。
本発明方法を実施するためのプリント板リサイクル装置を説明する前に、本発明で取り扱うプリント板１は、配線基板２にはんだ付けで種々の部品が実装されることにより全体構成されるが、それ以外に図１及び図２に示すように、情報格納体３が実装されている。
【００１２】
この情報格納体３は、プリント板１の製造時、種々の部品と共に基板２に取付けられるものであって、かつ種々の部品やこの情報格納体３を基板２から取り外すのに必要な情報３０を格納しており、例えば図２（ｂ）に示す如く、リード端子３ａが配線基板２を裏から挿入し、該基板２の表からリード端子３ａの先端部３ｂがはんだ付けされたＲＯＭからなっている。
【００１３】
この情報格納体３に格納されている情報３０としては、図３に示すように、はんだの融点情報３１と、配線基板２の厚さ情報３２と、配線基板２上における各部品毎のＸ方向及びＹ方向の座標位置情報３３とを有している。ここで、はんだの融点情報３１は、配線基板２に実装されている表面実装部品１０Ｂを取り外すのに必要な情報３０である。厚さ情報３２及び座標位置情報３３は、配線基板２に実装されている挿入実装部品１０Ａの各リード端子とはんだとの接合部分を除去するのに必要な情報である。さらにこれらの情報に加え、図示していないが、配線基板２上における表面実装部品１０Ｂのリード端子のＸ方向及びＹ方向の座標位置情報をも有している。そのため、情報格納体３０をプリント板１の製作時に実装しておく必要があるので、プリント板の製造メーカサイドに義務づけておけば、情報３０の入手が容易となり得る。
【００１４】
なお、配線基板２上に実装される部品について説明すれば、一般には前記情報格納体３と同様、リード端子が配線基板２を裏から挿入して表ではんだ付けされる挿入実装部品１０Ａと、リード端子が配線基板２の表面上にそのままはんだ付けされる表面実装部品１０Ｂとの何れかからなっている。
【００１５】
そして、実施例のプリント板リサイクル装置は、配線基板２に実装されている情報格納体３から得た情報に基づき、全ての部品（情報格納体３も含む）をプリント板１から取り外すことができるようにしたものであって、大別すると、情報格納体３の情報を取り込む情報取り込み機構４と、プリント板１の重量を計測する重量計測器５と、全ての部品を配線基板２から取り外す部品取り外し手段（符示せず）と、情報取り込み機構４及び重量計測器５からの出力信号に基づき、部品取り外し手段を駆動制御する制御部８とを備えて構成されている。
【００１６】
具体的に述べると、前記情報取り込み機構４は、図４及び図５に示すように、Ｘ方向，Ｙ方向及びＺ方向に移動可能な移動体４１と、該移動体４１の底部に装着され、情報格納体３のリード端子３ａの数に対応する複数のプローブピン４２とを有している。この情報取り込み機構４は、プリント板１が基板表面を上向きの状態のままで搬送コンベア９によって搬送され、かつ読み取り位置にて停止したとき、図５に示す如く移動体４１をプリント板１の情報格納体３に向かって移動し、プローブピン４２が、該情報格納体３のリード端子３ａと接続しているパターン接続点１２と電気的に接触し、所定の電圧を印加することにより、情報格納体３から種々の部品を取り外すのに必要な情報３０を取り込めるようにしている。
【００１７】
このとき、情報取り込み機構４によって得られた情報３０は、制御部８に送信され、該制御部８が部品取り外し手段を動作させるのに用いる。なお、パターン接続点１２は、配線基板２に形成された配線パターン１１の一端部に形成され、配線パターン１１の他端部に挿入実装部品１０Ａのリード端子がはんだ付けにより接続されている。
【００１８】
重量計測器５は図４に示すように、プリント板１の重量を計測するためのものであって、搬送コンベア９において後述する第１の分解機構６より下流側の途中位置に設置された電子天秤からなっている。この重量計測器５は、通常では図８に示す如く昇降ヘッド５１が搬送コンベア９の下方に下がった状態にあり、その昇降ヘッド５１の上にプリント板１が搬送コンベア９によって搬入されると、昇降ヘッド５１が図４に示す如く搬送コンベア９を挿入して昇降し、プリント板１を持ち上げて該プリント板１の重量を計測するようにしている。この重量計測器５の計測結果は、制御部８に出力される。
【００１９】
前記部品取り外し手段は、搬送コンベア９上において情報取り込み機構４と重量計測器５との間の位置に設置された第１の分解機構６と、重量計測器５より下流側の位置に設置された第２の分解機構７とから構成される。
【００２０】
第１の分解機構６は、図６に示すように、先端にドリル６２を装着する回転体６１と、この回転体６１を回転自在に装着し、上下（Ｚ）方向に移動するＺ軸駆動体６３と、該Ｚ軸駆動体６３を装着し、かつ前後・左右（Ｘ，Ｙ）方向に移動可能なＸ−Ｙテーブル６４とを具備している。
第１の分解機構６は図４に示すように、搬送コンベア９によりプリント板１が第１分解位置に搬送して位置決めされたとき、Ｘ−Ｙテーブル６４の移動によって回転体６１が配線基板２の上方でＸ及びＹ方向に移動することにより、回転体６１のドリル６２を、取り外そうとしている部品１０のリード端子側に位置決めし、次いで図６，図７に示すように、回転体６１が回転しながらプリント板１に向かい下降することにより、リード端子とはんだとの接合部分Ａを除去する如く孔を開け、これを部品に設けられているリード端子の数だけ繰り返し実行したとき、リード端子とはんだとの接合部分Ａ全てが除去され、部品１０がプリント板１から自重で落下することにより、部品１０を配線基板２から取り外すと共に、これと同タイプの情報格納体３も取り外すことができるようにしている。
【００２１】
このような第１の分解機構６のドリル６２の大きさは、部品１０を確実に取り外せるようにするため、取り外そうとしている部品のリード端子の大きさより大径のものが好ましく、装置が動作する前にオペレータの判断により選定してもよいが、予め太目のドリル６２を装着しておいてもよい。また、搬送コンベア９は、プリント板１にドリル６２にて孔を明ける場合、搬送コンベア９を損傷することがないような構造となっていることはいうまでもない。
【００２２】
従って、第１の分解機構６は、リード端子が配線基板２を挿入している挿入実装部品１０のみを、プリント板１取り外せるようにしており、その動作は制御部８によって制御される。
【００２３】
一方、第２の分解機構７は、プリント板１上に実装されている表面実装部品１０Ｂのはんだを溶融させ、かつ該部品１０Ｂを取り外すためのものであって、図４及び図９に示すように、ヒータ７２と、そのヒータ７２からの熱をダクト７３を介しノズル７４より吹き出すファン７１とからなる半田溶融部（符示せず）を具備している。
また、第２の分解機構７は、前後・左右方向に移動可能なＸ−Ｙテーブル７５と、このテーブル７５に組付けられ、上下に昇降可能なＺ軸駆動体７６と、このＺ軸駆動体７６の下部に装着されたスクレーパ７７とからなる部品除去部（符示せず）とを具備している。
【００２４】
そして、プリント板１が搬送コンベア９により重量計測器５を通過し、その後第２分解位置まで搬送されかつ位置決めされたとき、第２の分解機構７における半田溶融部がファン７１及びヒータ７２を駆動し、ノズル７４により、プリント板１上の表面実装部品１０Ｂの周囲にあるリード端子側のはんだを加熱してそのはんだを溶融させ、そのはんだが確実に溶融した状態にある頃を見計らって、Ｘ−Ｙテーブル７５及びＺ軸駆動体７６を作動させ、スクレーパ７７が図９（ｂ）に示す如く配線基板２に沿って移動し、はんだ溶融状態にある表面実装部品１０Ｂを配線基板２からずらし、最終的にずらした全ての表面実装部品１０Ｂを部品回収受け２０Ｂに落とし込むようにしている。
【００２５】
その場合、第２の分解機構７は半田溶融部によるはんだの溶融時、図９（ａ）に示すように、ノズル７４を部品除去部のスクレーパ７７に接触したままの状態とし、スクレーパ７７の位置決めにより、ノズル７４が部品１０Ｂのリード端子側のはんだを確実に溶融できるようにしている。
【００２６】
従って、この第２の分解機構７は、基板２上に表面実装されている部品１０Ｂのはんだを溶融させ、かつ該溶融状態の部品１０Ｂを基板２から取り外すようにしている。
【００２７】
さらに、第２の分解機構７における半田溶融部のスクレーパ７７は、図４に示すようにプリント板１の表裏面側にそれぞれ位置するよう二個設けてもよい。この場合、プリント板１の裏面側のスクレーパ７７は表面側のスクレーパ７７と同様の位置に位置決めされると共に、同様に移動するように構成され、表面側の部品１０Ｂを取り外すとき、プリント板１の裏面に実装されている表面実装部品（図示せず）も同様に溶融させてはんだを切り離し、自重で落下させるようにしてもよい。
【００２８】
他方、前記制御部８は、搬送コンベア９によりプリント板１が第１分解位置まで搬送しかつ位置決めされたとき、情報取り込み機構４によって取り込まれた情報に基づき、挿入部品取り外し手段の第１の分解機構６の動作を制御することにより、挿入実装部品１０を全てプリント板１から取り外し、その後、挿入実装部品１０の取り外されたプリント板１が、重量計測器５を経て第２の分解位置まで搬送しかつ位置決めされたとき、情報取り込み機構４によって取り込まれた情報と重量計測器５によって計測された重量の情報とに基づき、第２の分離機構７の動作を制御するようにしている。
【００２９】
この場合、制御部８は、第２の分解機構７がはんだを溶融するとき、情報格納体３から取り込んだ情報３０のはんだ融点情報３１の温度に、３０度を加えた温度を目安とし、その温度が高いか否かを判定処理すると共に、該判定結果高いときには、それに応じた高い温度でノズル７４から吹き付けてはんだを溶融する一方、前記判定結果低いときには、それに応じた低い温度でノズル７４から吹き付けではんだを溶融するように温度制御している。そのため、制御部８は、はんだ融点情報３１のデータに基づきヒータ温度を制御するようにしている。
【００３０】
また制御部８は、重量計測器５の測定結果から、プリント板１の重量値に０．３の変数を乗じた値を目安とし、その値が大きいか否かを判定すると共に、該判定結果大きいときには、それに応じた長い時間ではんだを溶融する一方、前記判定結果小さいときには、それに応じた短い時間ではんを溶融するよう、はんだに熱を吹き付ける時間を制御するようにしている。そのため、制御部８は、プリント板１の重量データに基づきはんだの加熱溶融時間を制御するようにしている。
【００３１】
従って、このプリント板リサイクル装置は、プリント板１に実装された情報格納体３，搬送コンベア９，情報取り込み機構４，第１の分解機構７及び第２の分解機構８からなる部品取り外し手段，重量計測器５，制御部８により構成されている。
【００３２】
次に、上記リサイクル装置の動作に関連して、本発明方法の一実施例について述べる。
図１に示す如き情報格納体３を含む挿入実装部品１０Ａ，図９に示す如き表面実装部品１０Ｂのような種々の部品が実装されているプリント板１から、それら各部品を分離しようとする場合には、まず、搬送コンベア９上に表面を上にした状態でプリント板１を載せ、この状態で搬送コンベア９の駆動により、該プリント板１を搬送経路に搬送する。
【００３３】
そして、搬送コンベア９上のプリント板１が情報取り込み位置まで送られ、位置決めされると、情報取り込み機構４の移動体４１が図５に示すように下降し、移動体４１に設けられているプローブピン４２の先端が、情報格納体３のリード端子３ａと接続している配線接続点１２と接触することにより、情報格納体３に格納されている情報３０を取り込み、該取り込んだ情報が制御部８に出力される。
【００３４】
これにより、制御部８は、情報取り込み機構４を介し得た情報３０に基づき、最初は、種々の部品から挿入実装部品１０Ａのみをプリント板１から取り外す処理を行う。
【００３５】
即ち、プリント板１が搬送コンベア９によって第１分離位置まで搬送しかつ位置決めされると、第１の分離機構４４のＸ−Ｙテーブル６４が所望の挿入実装部品１０Ａ側まで近接し、Ｚ軸駆動体６３が図６に示すように、ドリル６２を回転させながら、かつその部品１０の一本のリード端子と対向した状態で降下する。このとき、ドリル６２は図７（ａ）及び（ｂ）に示すように、プリント板１の表面側で挿入実装部品１０Ａのリード端子を含む部分に孔を穿設してリード端子とはんだとの接合部分を除去し、この除去動作が一つの挿入実装部品１０Ａに装着されている全てのリード端子に対しても同様に行われると、リード端子がはんだから切り離されることとなるので、挿入実装部品１０Ａがプリント板１から部品回収用受け２０Ａに落下し、部品１０がプリント板１から取り外される。
【００３６】
このようにして一つの挿入実装部品１０Ａがプリント板１から取り外されると、次の挿入実装部品１０Ａも同様にして取り外され、これを挿入実装部品１０Ａの数だけ行われることにより、情報格納体３を含む全ての部品１０Ａを取り外す。
この場合、取り外された部品１０Ａは、リード端子においてプリント板１を挿入している先端部分のみが欠如した状態であって、挿入実装部品１０Ａの本体そのものが何等損傷されるおそれがないので、部品１０Ａのリサイクルを可能とさせる。
【００３７】
そして、全ての挿入実装部品１０Ａがプリント板１から取り外された後、そのプリント板１は搬送コンベア９によって重量計測器５の位置まで搬送して停止すると、今度は、重量計測器５の昇降ヘッド５１が昇降してプリント板１を搬送コンベア９から持ち上げたとき、該プリント板１の重量を計測してその情報を制御部８に出力する。重量計測が終了すると、昇降ヘッド５１が降下してプリント板１を搬送コンベア９上に載置したままに戻す。
【００３８】
しかる後、搬送コンベア９によってプリント板１が第２分離位置まで搬送して位置決めされると、今度は、第２の分離機構７のはんだ溶融部が駆動し、図９（ａ）に示す如く、ノズル７４が所望の挿入実装部品１０Ｂの端子部分を加熱し、端子を固着しているはんだを溶融させる。
【００３９】
この場合、制御部８は、情報格納体３から情報取り込み機構４を介し取り込んだ情報に基づいてはんだ溶融部を制御することによりはんだを加熱し、しかも情報格納体３に格納されている情報３０のはんだ溶融情報に基づいた温度と、重量計測器５によって計測した値に基づいた加熱時間とではんだを加熱溶融させることとなる。
【００４０】
そして、表面実装部品１０Ｂに装着された全ての端子を固着しているはんだが流動性を得るように確実に溶融したころ、制御部８は、図９（ｂ）に示すように部品除去部を移動制御する。即ち、部品除去部のＸ−Ｙテーブル７５がプリント板１の搬送方向と逆方向に移動しつつ、かつＺ軸駆動体７６が基板面まで降下することにより、表面実装部品１０Ｂを基板２からずり落とし、部品回収受け２０Ｂに落とし込む。
【００４１】
このような半田溶融部によるはんだの溶融と、部品除去部による基板２からの表面実装部品１０Ｂの取り外しとを、全ての表面実装部品の数だけ行うことにより、全ての部品を基板２から取り外すこととなる。
【００４２】
このように、全ての表面実装部品１０Ｂが基板２から取り外された状態では、表面実装部品１０Ｂの端子が何等損傷を受けることがなく、半田の一部が付着しただけの状態であるので、この取り外した表面実装部品１０Ｂは必要に応じ、リサイクルすることが可能となる。
【００４３】
本発明方法の一実施例では、上述の如く、プリント板１の分解に際し、情報取り込み機構４が予め配線基板２に設けられた情報格納部品３から、部品１０の分解に必要な情報３０を取り込みむと、制御部８がその情報３０に基づき部品取り外し手段の第１の分解機構６を制御し、該第１の分解機構６が挿入実装部品１０Ａをプリント板１から取り外し、また制御部８が情報取り込み機構４から取り込んだ情報３０と重量計測器５によって計測した重量情報とに基づき部品分解手段の第２の分解機構７を制御し、該第２の分解機構７が表面実装部品１０Ｂをプリント板１から取り外すようにしたので、はんだ付けされている全ての部品を、プリント板のサイズやはんだの種類に拘わらずかつ破壊することなく、正確にプリント板１から取り外すことができ、従って、プリント板１から部品１０と配線基板２とを的確にかつ容易に分離することができる。
【００４４】
しかも、第１の分解機構６がプリント板１上の挿入実装部品１０Ａのリード端子とはんだとの接続部分をドリル６２で除去する一方、第２の分解機構７がプリント板１上の表面実装部品１０Ｂのリード端子を接続しているはんだを半田溶融部で溶融し、かつ該溶融状態にある表面実装部品１０Ｂをプリント板１からずらして分離するので、部品に種類に応じ部品の分離を適切に行うことができる。
【００４５】
そして、実施例のプリント板リサイクル装置では、プリント板１の製作時、配線基板２に取付けられる情報格納体３と、この情報格納体３によりプリント板１から部品を分離するのに必要な情報を取り込む情報取り込み機構４と、取り込まれた情報に基づき部品実装部品１０Ａをプリント板１から取り外す第１の分解機構６と、取り込まれた情報に基づき表面実装部品１０Ｂをプリント板１から取り外す第２の分解機構７と、情報取り込み機構４及び重量計測器５からの情報に基づき第１，第２の分解機構６，７を制御する制御部８とを備えて構成したので、上記方法を的確に実施し得る。
【００４６】
しかも、前記リサイクル装置において、第１の分解機構６がドリル６２によって挿入実装部品１０Ａとはんだとの接合部分を除去するようにしたが、この第１の分解機構６は、プリント板１の製造時、プリント板１にスルーホールを形成するための装置で代用することができ、特に新たな装置を開発する必要もないものである。
【００４７】
なお、上記実施例では、情報格納体３にプリント板１の重量情報が入っていないので、プリント板１の搬送途中で重量を計測する例を示したが、他の実施例として、情報格納体３に予めプリント板の重量情報をも入れておき、情報取り込み機構４が情報を一旦取り込んだけで、必要な全ての情報を得るようにすることもできる。即ち、部品１０の分離に際し、情報取り込み機構４が予め配線基板２に取付けられている情報格納体３より情報３０を一旦取り込むと、その情報３０に基づき部品取り外し機構がプリント板１上の部品１０を取り外すように構成することもできる。
そのようにすれば、搬送経路の途中位置に前述した実施例の如き重量計測器５を設置することがないばかりでなく、搬送コンベア９の重量計測器５での位置決め制御等を行うことが不要になり、それだけ制御部８の制御内容を簡素化することができる。しかも、情報取り込み機構４から取り込んだ情報に基づき、挿入実装部品１０Ａの取り外し工程，表面実装部品１０Ｂの取り外し工程を順次行うことができ、作業工程も簡素化することもできる。
【００４８】
また図示実施例では、プリント板１から種々の部品を分解するのに必要な情報３０を格納する部品３として、挿入実装部品タイプのＲＯＭを用いた例を示したが、これに限らず、表面実装部品タイプのＲＯＭでもよい。そしてＲＯＭの代用として、プリント板に添付された（あるいは印刷された）バーコードにすることもできる。但し、情報量が多量になるおそれもあるので、その場合にはマイクロフィルムで代用することもできる。従って、要は、プリント板１から部品を分離するのに必要な情報を格納する部品を、予め配線基板２に取付けておけばよい。
【００４９】
【発明の効果】
以上述べたように、本発明の請求項１〜４によれば、部品の分離時、配線基板のはんだの融点情報，配線基板上の各部品の座標位置情報を含む情報を格納している情報格納体により、部品をプリント板から分離するのに必要な情報を、前記情報格納体から取り込むと共に、該取り込んだ情報に基づき種々の部品をプリント板から取り外すように構成したので、はんだ付けされている全ての部品を、プリント板のサイズやはんだの種類に拘わらず、かつ破壊することなく正確にプリント板１から取り外すことができ、従って、プリント板から部品と配線基板とを的確にかつ容易に分離することができる効果がある。特に、請求項２によれば、プリント板のサイズやはんだの種類に加え、プリント板に搭載されている部品の種類に拘わることなく簡単かつ確実に分離することができる効果がある。
【００５０】
また本発明の請求項５〜７によれば、プリント板から種々の部品を分離するのに必要な情報はんだの融点情報，配線基板上の各部品の座標位置情報，リード端子の座標位置情報を含む情報を格納している情報格納体と、部品の分離時、情報格納体から前記情報を取り込む情報取り込み機構と、該情報取り込み機構によって取り込んだ前記情報に基づき、種々の部品をプリント板から取り外す手段とを有しているので、上記方法を的確に実施し得る効果がある。特に、請求項７によれば、表面実装部品をほぼそのままの状態でプリント板から取り外すことができる効果がある。
【図面の簡単な説明】
【図１】本発明方法を適用するための情報格納体の実装状態を示す上からみた斜視図。
【図２】同じく情報格納体の実装状態を下からみた斜視図。
【図３】情報格納体に格納されている情報の内容を示す説明図。
【図４】本発明方法を実施するためのプリント板リサイクル装置の一実施例を示す説明図。
【図５】同じくリサイクル装置における情報取り込み機構とプリント板との関係を示す説明斜視図。
【図６】同じくリサイクル装置における第一の分離機構を示す説明図。
【図７】第一の分離機構が挿入実装部品のリード端子とはんだとの接合部分を除去する動作状態を示す説明図。
【図８】重量計測器によってプリント板の重量計測状態を示す説明図。
【図９】同じくリサイクル装置における第二の分離機構を示す動作説明図。
【符号の説明】
１…プリント板、２…配線基板、３…情報格納体、３０…プリント板１から部品を分離するのに必要な情報、４…情報取り込み機構、５…重量計測器、６…第１の分離機構、７…第２の分離機構、８…制御部、９…搬送コンベア、１０…部品、１０Ａ…挿入実装部品、１０Ｂ…表面実装部品。
【図１】
0003603605.tif 000002
【図２】
0003603605.tif 000003
【図３】
0003603605.tif 000004
【図４】
0003603605.tif 000005
【図５】
0003603605.tif 000006
【図６】
0003603605.tif 000007
【図７】
0003603605.tif 000008
【図８】
0003603605.tif 000009
【図９】
0003603605.tif 000010